(57)【要約】    【構成】    雨水貯留・浸透システム（１０）は、プラスチック製要素部材で組み立てた雨水貯留・浸透槽（１２）を含み、この雨水貯留・浸透槽に雨水を流入する流入施設１４の点検口１８内にごみ回収フィルタとしての網袋６２を設け、その網袋６２の開口６４を流入管２０の出口２０ａに装着する。したがって、流入管２０の出口２０ａからの雨水が網袋６２を通過し、それに混入するごみは網袋６２によって捕捉され、雨水のみが流入接続管２２から水貯留・浸透槽に流入する。    【効果】  網袋にごみを大量に溜めておけるので、ごみを取り出す作業頻度を減らすことができ、作業時間を短縮できる。【選択図】  図１１
2008208528.tif 000002
【特許請求の範囲】
【請求項１】
プラスチック製の要素部材を組み立てて構成した雨水貯留・浸透槽を地下に埋設し、その雨水貯留・浸透槽に雨水を流入させる流入施設を備え、前記流入施設は、点検口、前記点検口に雨水を流入させる流入管および前記点検口から前記雨水貯留・浸透槽に雨水を流入させる流入接続管を含む、雨水貯留・浸透システムにおいて、
前記点検口内に、開口を有するごみ回収フィルタを設置し、そのごみ回収フィルタの開口を前記流入管の出口に取り付けたことを特徴とする、雨水貯留・浸透システム。
【請求項２】
プラスチック製の要素部材を組み立てて構成した雨水貯留・浸透槽を地下に埋設し、その雨水貯留・浸透槽に雨水を流入させる流入施設を備え、前記流入施設は、点検口、前記点検口に雨水を流入させる流入管および前記点検口から前記雨水貯留・浸透槽に雨水を流入させる流入接続管を含む、雨水貯留・浸透システムにおいて、
前記点検口内に、開口および底部を有するごみ回収フィルタを設置し、そのごみ回収フィルタの開口が前記流入管の出口から落下する雨水を受けるようにしたことを特徴とする、雨水貯留・浸透システム。
【請求項３】
プラスチック製の要素部材を組み立てて構成した雨水貯留・浸透槽を地下に埋設し、その雨水貯留・浸透槽に雨水を流入させる流入施設を備え、前記流入施設は、点検口、前記点検口に雨水を流入させる流入管および前記点検口から前記雨水貯留・浸透槽に雨水を流入させる流入接続管を含む、雨水貯留・浸透システムにおいて、
前記点検口の内壁に取り付けられ、間隔を隔てて、前記流入接続管の入口を覆うごみ除去フィルタを設けたことを特徴とする、雨水貯留・浸透システム。
【発明の詳細な説明】
【技術分野】
【０００１】
この発明は雨水貯留・浸透システムに関し、特にたとえば、地下に設置した雨水貯留・浸透槽に雨水を集め、集水した雨水を貯留したり、集水した雨水を一時的に貯留して後、地中に緩やかに浸透させたりする、雨水貯留・浸透システムに関する。
【背景技術】
【０００２】
この種の雨水貯留・浸透システムに用いられ得る雨水貯留・浸透槽が、特許文献１などで公知である。特許文献１には従来のコンクリート製の貯留・浸透槽に代わって、軽量でしかも十分な機械的強度を有する、プラスチック製の貯留・浸透槽が開示されている。
【０００３】
さらに、このようなプラスチック製の貯留・浸透槽を利用する地下雨水貯留・浸透システムが非特許文献１に示されている。
【特許文献１】特開２００３‐３４９７１号公報［E03F 1/00］
【非特許文献１】クボタシーアイ株式会社カタログＮｏ．Ｃ７２‐００（０５．６．５）０６．１．１０．ＩＮ．ＮＦ  「大型パネル雨水洞窟貯留浸透槽  RAIN望ケーブ」
【発明の開示】
【発明が解決しようとする課題】
【０００４】
このような雨水貯留・浸透システムでは、雨水貯留・浸透槽内へ集水した雨水を流入させるための流入施設を設け、その流入施設の点検口から雨水貯留・浸透槽へ雨水を流入させるようにしている。点検口から雨水貯留・浸透槽を雨水を流入させるために流入接続管を設置し、その流入接続管の入口にごみ除去フィルタを設け、雨水とともに点検口内に入ってくる落ち葉などのごみが雨水貯留・浸透槽内へ入ってしまうのを防止するようにしている。
【０００５】
しかしながら、背景技術では、ごみ除去フィルタは流入施設の流入接続管断面のみを覆い、フィルタ面積が小さいため、すぐにごみが付着して目詰まりすることがあり、その場合には、雨水が雨水貯留・浸透槽内へ流入されないため、その「ごみの取り出し」を頻繁にする必要があり、そのためにメンテナンスのための作業頻度が高まる。
【０００６】
それゆえに、この発明の主たる目的は、新規な、雨水貯留・浸透システムを提供することである。
【０００７】
この発明の他の目的は、メンテナンスのための作業量を可及的抑制できる、雨水貯留・浸透システムを提供することである。
【課題を解決するための手段】
【０００８】
請求項１の発明は、プラスチック製の要素部材を組み立てて構成した雨水貯留・浸透槽を地下に埋設し、その雨水貯留・浸透槽に雨水を流入させる流入施設を備え、流入施設は、点検口、点検口に雨水を流入させる流入管および点検口から雨水貯留・浸透槽に雨水を流入させる流入接続管を含む、雨水貯留・浸透システムにおいて、点検口内に、開口を有するごみ回収フィルタを設置し、そのごみ回収フィルタの開口を流入管の出口に取り付けたことを特徴とする、雨水貯留・浸透システムである。
【０００９】
請求項１の発明では、プラスチック製の要素部材、実施例で例示すれば、本体３４、上下板３８、側板４０、中間板４８などを用いて、雨水貯留・浸透槽（１２：実施例で相当する部分を例示する参照符号。以下同様。）を構成する。たとえば、その雨水貯留・浸透槽（１２）の流入側に流入施設（１４）を設置する。流入施設（１４）は点検口（１８）を含む。点検口（１４）には点検口に雨水を流入させる流入管（２０）および点検口から雨水貯留・浸透槽に雨水を流入させる流入接続管（２２）が取り付けられる。ごみ回収フィルタの一例である網袋（６２）は点検口（１８）内に設置され、それの開口（６４）が流入管（２０）の出口（２０ａ）に装着される。
【００１０】
請求項１の発明によれば、流入管（２０）の出口（２０ａ）からの雨水がごみ回収フィルタ（６２）を通過し、それに混入するごみはごみ回収フィルタ（６２）によって捕捉されるので、雨水のみが流入接続管（２２）から雨水貯留・浸透槽（１２）に流入する。そして、ごみ回収フィルタ（６２）にごみをある程度の量溜めておくことで、ごみ除去フィルタへのごみの付着を防止するとともに、点検口内でのごみの拡散を防止することができる。その結果、ごみを取り出す作業を行なう時間的間隔を長くでき、したがって、メンテナンスの作業頻度を減らすとともに、作業時間を短縮することができる。
【００１１】
請求項２の発明は、プラスチック製の要素部材を組み立てて構成した雨水貯留・浸透槽を地下に埋設し、その雨水貯留・浸透槽に雨水を流入させる流入施設を備え、流入施設は、点検口、点検口に雨水を流入させる流入管および点検口から雨水貯留・浸透槽に雨水を流入させる流入接続管を含む、雨水貯留・浸透システムにおいて、点検口内に、開口および底部を有するごみ回収フィルタを設置し、そのごみ回収フィルタの開口が流入管の出口から落下する雨水を受けるようにしたことを特徴とする、雨水貯留・浸透システムである。
【００１２】
請求項２の発明では、プラスチック製の要素部材、実施例で例示すれば、本体３４、上下板３８、側板４０、中間板４８などを用いて、雨水貯留・浸透槽（１２：実施例で相当する部分を例示する参照符号。以下同様。）を構成する。たとえば、その雨水貯留・浸透槽（１２）の流入側に流入施設（１４）を設置する。流入施設（１４）は点検口（１８）を含む。点検口（１４）には点検口に雨水を流入させる流入管（２０）および点検口から雨水貯留・浸透槽に雨水を流入させる流入接続管（２２）が取り付けられる。一例としてかご状であるごみ回収フィルタ（８４）が点検口（１８）内に設置され、それの上端開口から流入管（２０）の出口（２０ａ）から落下する雨水を受ける。
【００１３】
請求項２の発明によれば、流入管（２０）の出口（２０ａ）からの雨水がごみ回収フィルタ（８４）を通過し、それに混入するごみはかご状のごみ回収フィルム（８４）によって捕捉されるので、雨水のみが流入接続管（２２）から雨水貯留・浸透槽（１２）に流入する。そして、ごみ回収フィルタ（８４）では、ごみの付着面積が大きくなるので、ごみの付着を分散させるとともに、雨水を雨水貯留・浸透槽に流しながら、ごみをある程度の量溜めておけるので、ごみを取り出す作業頻度を減らすことができる。
【００１４】
請求項３の発明は、プラスチック製の要素部材を組み立てて構成した雨水貯留・浸透槽を地下に埋設し、その雨水貯留・浸透槽に雨水を流入させる流入施設を備え、流入施設は、点検口、点検口に雨水を流入させる流入管および点検口から雨水貯留・浸透槽に雨水を流入させる流入接続管を含む、雨水貯留・浸透システムにおいて、点検口の内壁に取り付けられ、間隔を隔てて、流入接続管の入口を覆うごみ除去フィルタを設けたことを特徴とする、雨水貯留・浸透システムである。
【００１５】
請求項３の発明では、プラスチック製の要素部材、実施例で例示すれば、本体３４、上下板３８、側板４０、中間板４８などを用いて、雨水貯留・浸透槽（１２：実施例で相当する部分を例示する参照符号。以下同様。）を構成する。たとえば、その雨水貯留・浸透槽（１２）の流入側に流入施設（１４）を設置する。流入施設（１４）は点検口（１８）を含む。点検口（１４）には点検口に雨水を流入させる流入管（２０）および点検口から雨水貯留・浸透槽に雨水を流入させる流入接続管（２２）が取り付けられる。ごみ回収フィルタ（１０２）が点検口（１８）に取り付けられる。このとき、ごみ除去フィルタ（１０２）の各面部分と流入接続管（２２）の入口（２２ａ）と間隔を隔てて設置される。
【００１６】
請求項３の発明によれば、ごみ除去フィルタ（１０２）が流入接続管（２２）の入口（２２ａ）に密着していないので、ごみ除去フィルタ（１０２）の各面部分（１０２ａ‐１０２ｃ）の表面にごみが付着しても、フィルタ面積が大きく、ごみの付着を分散させるので、ごみの付着による目詰まりが生じ難い。
【発明の効果】
【００１７】
請求項１または２の発明によれば、ごみ回収フィルタにごみを大量に溜めておけるので、ごみを取り出す作業頻度を減らすことができる。しかも、ごみはごみ回収フィルタに閉じ込められ、点検口内に散乱することがないので、点検口内の掃除などの作業が軽減できる。
【００１８】
請求項３の発明によれば、ごみ除去フィルタと流入接続管の入口との間に間隔を設けるようにしたので、フィルタ面積が大きく、ごみの付着を分散させるので、ごみの付着による目詰まりが生じ難い。
【００１９】
この発明の上述の目的，その他の目的，特徴および利点は、図面を参照して行う以下の実施例の詳細な説明から一層明らかとなろう。
【発明を実施するための最良の形態】
【００２０】
図１にこの発明の背景となる雨水貯留・浸透システム１０の一例が図解される。この雨水貯留・浸透システム１０は、地中に埋設された雨水貯留・浸透槽１２を含む。この雨水貯留・浸透槽１２は、図２‐図６に示すプラスチック製の要素部材を組み立てて、図７に示すような槽として構成したものである。
【００２１】
雨水貯留・浸透槽１２の一方側端近傍に流入施設１４が、他方側端近傍に流出施設１６が付設される。雨水が流入施設１４から雨水貯留・浸透槽１２を通り、流出施設１６から流れ出るので、流入施設１４側を上流側、流出施設１６側を下流側と呼ぶこともできる。
【００２２】
流入施設１４は、点検口１８を含み、この点検口１８は周知のように地中に埋設されるが、それの上端は地表に臨まされ、そこから人の出入りを可能にしている。点検口１８の上部には、たとえば道路脇の側溝や雨水暗渠などから集めた雨水を流し込む流入管２０が設けられ、その下部には、この雨水を雨水貯留・浸透槽１２に流し込む流入接続管２２が設けられる。なお、この図１では図示していないが、流入接続管２２の流入入り口にはごみ除去フィルタ５４（図８，１０）が設けられる。
【００２３】
流出施設１６にも点検口２４が設置され、この点検口２４の下部には、雨水貯留・浸透槽１２からの雨水を点検口２４に導出する流出接続管２６が取り付けられ、それよりさらに下方の点検口２４の下部にはオリフィス流出管２６が取り付けられる。オリフィス流出管２６は、雨水貯留・浸透槽１２から点検口２４に導出した雨水を雨水管渠や合流式下水道管（図示せず）に放流するためのものであるが、放流量が急増しないようにするための流量制限オリフィスを有する。
【００２４】
点検口２４の上部と雨水貯留・浸透槽１２との間に空気抜き管３０が設けられ、それより下方の点検口２４の上部にはオーバフロー管３２が取り付けられる。このオーバフロー管３２は、雨水貯留・浸透槽１２をオーバフローした雨水を雨水管渠や合流式下水道管（図示せず）に放流する。
【００２５】
ここで、図１に示す雨水貯留・浸透槽１２について、各要素部材の一例を示す図２‐図６を参照して、詳細に説明する。ただし、このような要素部材を使った組み立て式の雨水貯留・浸透槽については、先に挙げた特許文献に詳しく説明されているので、必要なら、この特許文献を参照されたい。
【００２６】
図２に示す要素部材は、本体（リブ板）３４であり、その中心には、人が通れる程度の大きさの直径を有する孔３６が設けられる。この孔３６は、この本体３４を使って雨水貯留・浸透槽１２を形成したとき、点検等のために人が雨水貯留・浸透槽１２内を移動するための通路を確保すると同時に、本体中での雨水の流れを容易にさせるためのものである。
【００２７】
図３に示す要素部材は、上下板３８であり、図１に示す雨水貯留・浸透槽１２の底面および天面を形成するための板状体である。
【００２８】
図４に示す要素部材は側板４０である。この側板４０は、列間仕切り板として使用され得る。また、側板４０に形成されている窓４２は、雨水貯留・浸透槽１２を浸透槽として使用する場合に、隣接する列間での雨水の連通を容易にする作用を果たす。
【００２９】
図５に示す要素部材は鏡板４４である。この鏡板４４は、雨水貯留・浸透槽１２の前後方向（流入施設１４から流出施設１６への雨水の流れる方向）の最外側の側板として使用される。鏡板４４の窓４６も先の側板４０の窓４２と同じく、雨水貯留・浸透槽１２から雨水を漏洩させるための漏洩路として機能する。
【００３０】
図６に示す要素部材は、中間板４８であり、この中間板４８は、複数の本体の列を全体として１つの層としたとき、図７に示すように複数の層を形成する際の層間の仕切り板として用いられるものである。
【００３１】
図２‐図６に示す各要素部材３４，３８，４０，４４および４８を用いて、図７に示すような、たとえば、２層３列の雨水貯留・浸透槽１２が組み立てられる。つまり、図７に例示した雨水貯留・浸透槽１２では、１層あたり３つの列Ｃ１，Ｃ２およびＣ３（図９）を形成し、中間板４８を仕切りとして、上下に２つの層Ｌ１およびＬ２を積層している。
【００３２】
図７において、下層Ｌ１の真ん中の列（Ｃ１）の最前方には管接続板５０が嵌め込まれていて、この管接続板５０に、図１（および図８，図１０など）に示す流入接続管２２が接続される。そして、鏡板４４の窓４６（図５）には鏡窓板５２がそれぞれはめ込まれる。なお、ここで例示する雨水貯留・浸透槽１２では、それの最外側面には、側板４０と類似してはいるが窓のない外側板４１が用いられている。このようにして、３列（Ｃ１−Ｃ３）２層（Ｌ１−Ｌ２）の雨水貯留・浸透槽１２が、プラスチック製の要素部材３４，３８，４０，４４および４８を組み立てることによって、形成できる。
【００３３】
ただし、雨水貯留・浸透槽１２の層数や列数は任意に設定できるとともに、各要素部材の上述の大きさや形状も単なる例示であり、それらは、必要に応じて、適宜変更され得る。
【００３４】
図７に示すようにして形成した雨水貯留・浸透槽１２を図８および図９に示すように地中に埋設し、その上流側に、流入施設１４を配置し、下流側に流出施設１６を配置する。ただし、図８や図１０においては、図面作成の便宜上、上流側から下流側へ向かう雨水貯留・浸透槽１２の長さを、図９と異なるように描いている点に留意されたい。
【００３５】
図８に示す雨水貯留・浸透システム１０は、雨水の一時貯留および周囲への浸透の両方の機能を持つように意図されているため、雨水貯留・浸透槽１２の外周の下部部分が、保護シートでサンドイッチにされた遮水シート５６で覆われ、雨水貯留・浸透槽１２の外周の残りの部分が、浸透シート５８で被覆される。遮水シート５６は、たとえば、底面から下層Ｌ１の側面の全部および上層Ｌ２の側面の高さ方向の下半分を覆うようにされ、浸透シート５８は、上層Ｌ２の側面の上半分と天面全部とを覆う。したがって、この図８に例示する雨水貯留・浸透システム１０の雨水貯留・浸透槽１２には、定常的には、下層Ｌ１の全部と上層Ｌ２のほぼ半分の量の雨水を一時的に貯留することができる。
【００３６】
雨水は先に説明したように、流入施設１４の流入管２０から点検口１８および流入接続管２２を経て雨水貯留・浸透槽１２に流入され、雨水貯留・浸透槽１２に一時的に貯留される。なお、図８に示すように、流入接続管２２の点検口１８内にある入口にはごみ除去フィルタ５４が装着されているので、点検口１８内に雨水とともに流入した落ち葉などのごみは、このごみ除去フィルタ５４によって阻止され、雨水貯留・浸透槽１２内には入らない。そして、雨水貯留・浸透槽１２に貯留された雨水は、浸透シート５８を通して周囲に浸透されるとともに、必要なとき、流出施設１６の流出接続管２６から点検口２４を経て、オリフィス流出管２８から雨水管渠や合流式下水道管（図示せず）に放流される。
【００３７】
なお、点検口１８および２４や雨水貯留・浸透槽１２は、土中内において、それぞれ砕石基礎６２の上に設置され、周囲を埋め戻した土で覆われている。そして、点検口１８および２４の上端開口は地表面６０に臨まされる。
【００３８】
図１０に示す雨水貯留・浸透システム１０は、図８のシステム１０が貯留・浸透システムであったのに対し、浸透システムであるという点で、図８のシステムと相違する。図１０のシステム１０では、雨水貯留・浸透槽１２は全表面（底面、天面、全側面）を浸透シート５８だけで覆うので、雨水貯留機能はない。そして、雨水貯留機能がないので、図１０の雨水浸透システム１０は図８に示すオリフィス流出管２８を持たない。
【００３９】
ただし、「貯留・浸透」か「浸透だけ」かを区別する必要がないときには、この明細書では、両者を包含する意味で、雨水貯留・浸透システム１０または雨水貯留・浸透槽１２と呼ぶことにする。
【００４０】
以上で、プラスチック製の要素部材を組み立てた雨水貯留・浸透槽１２を利用するこの発明の背景技術としての雨水貯留・浸透システム１０を説明した。以下に、このような背景技術を前提にして、必要に応じてそれらを援用しながら、この発明の実施例または実施形態について説明する。ただし、この発明は上述の背景技術の雨水貯留・浸透システム１０の流入施設１４に関するものであり、残余の部分を背景技術と同じにしても背景技術とは変更してもよいので、以下の実施例においては、いずれも、流入施設１４だけを図解しかつ説明していることに予め留意されたい。
【００４１】
図１１に示すこの発明の一実施例の雨水貯留・浸透システムにおける流入施設１４は、点検口１８内でのゴミ除去に新しい考え方を取り入れているという点で、図８または図１０の雨水貯留・浸透システム１０の流入施設と異なる。
【００４２】
流入施設１４では、前述のように、点検口１８の上部に流入管２０が取り付けられ、この流入管２０の出口２０ａが点検口１８内に突出される。そして、それより下方の点検口１８の下部には、流入接続管２２が取り付けられ、その入口２２ａが点検口１８内に突出される。流入接続管２２の入口２２ａには、背景技術と同様のごみ除去フィルタ５４が装着される。
【００４３】
流入管２０から流入する雨水とともに点検口１８内に進入してくる落ち葉や紙くずのようなごみが点検口１８内に浮遊して、雨水貯留・浸透槽１２内に入り込むのを防止するために、ごみ回収フィルタの具体例の1つとしての網袋６２が点検口１８内に設置される。この網袋６２は、腐食しにくいたとえばナイロンのような合成繊維で編んだ網からなる。ごみ回収フィルタすなわち網袋６２のメッシュサイズは、ごみ除去という点ではできるだけ小さい方がよいが、あまり小さくすると、頻繁に目詰まりを生じ、雨水の流れが阻害されるなどの不都合があるので、流入してくる可能性のあるごみのサイズに応じて最適のメッシュサイズを選択する。
【００４４】
網袋６２は、上端が開放された開口である以外は全て閉塞された、いわゆる袋状をなし、その開口６４が流入管２０の出口２０ａに、たとえば番線６６のような取付手段によって、固着される。
【００４５】
また、網袋６２の底には係止リング6８が取り付けられる。点検口１８内には雨水が流入するが、その雨水によって網袋６２が浮き上がったりする。網袋６０が浮き上がると余計な力が掛かり番線６６による固着が不安定になり、極端な場合には、流入管２０から脱落する可能性もある。そこで、この実施例では、リング６８を用いて、網袋６２の底をたとえば点検口１８の底面に係止する。網袋６２の底と点検口１８の底に設置されている係止リング脱着式フック（図示せず）とが連結されるので、網袋６２の底が浮き上がることはない。つまり、網袋６２が安定的に保持でき、流入管２０から脱落するなどの不都合を生じることがない。
【００４６】
雨水が流入管２０から流入し、その中にごみが混入していたとき、ごみを含む雨水は流入管２０の出口２０ａから直接網袋６２内に落下する。雨水は当然網袋６２のメッシュを通り抜けて点検口１８の内部に溜まる。ごみは網袋６２のメッシュを通過することができず、網袋６２の中にとどまる。したがって、流入接続管２２の入口２２ａにごみが到達することはなく、したがって、ごみ回収フィルタ５４がごみによって目詰まりを起こすこともない。つまり、流入管２０の出口２０ａからの雨水が網袋６２を通過し、それに混入するごみは網袋６２によって捕捉されるので、雨水のみが流入接続管２２から水貯留・浸透槽１２に流入する。そして、網袋６２にごみをある程度の量溜めておけるので、ごみを取り出す作業頻度を減らすことができる。
【００４７】
網袋６２内のごみの量が徐々に増加し、やがて網袋６２がごみで満杯になる。そのときには、番線６６を外して網袋６２を流入管２０の出口２０ａから取り外し、点検口１８の上部開口から網袋６２を回収すればよい。そして、新しい網袋６２を上述のようにして流入管２０に取り付ける。網袋６２の容量にも依るが、網袋６２内に大量のごみを蓄積できるようにすれば、網袋を交換する時間間隔を長く延ばせる。したがって、メンテナンスの作業量を抑制できる。ただし、この網袋６２にごみが溜まった状態では、ごみだけでなく泥や小石なども混入するため、相当な重量になるので、網袋６２を回収するためには相当の力が必要になり、点検口１８内でのそのような回収作業ではかなりの負担になる。したがって、網袋６２の大きさ（容量）は、回収作業を容易にするためにできるだけ軽量化することと、交換のための時間間隔をできるだけ長く延ばすこととの、いわば二律背反的な条件を勘案して決定されることが望ましい。
【００４８】
なお、開口６４を流入管２０から取り外さない限り、網袋６２のごみは網袋の外へ出ることはない。つまり、この実施例によれば、ごみが点検口１８内に散乱することがない。したがって、ごみが散乱した場合には必要だった点検口１８内の掃除の必要もなく、その意味でも、メンテナンス作業頻度を減らすことが期待できる。
【００４９】
なお、上述の実施例では、網袋６２は番線で流入管２０の出口２０ａに固着されたが、別の取付方法も考えられる。
【００５０】
たとえば、図１２に示す網袋６２は開口にリング７０が取り付けられている。このリング７０は、たとえば図１３に示すように２つ割りの部品７０ａおよび７０ｂからなり、それらの間に網袋６２の開口６４の部分を挟み込むことによって、網袋６２の開口６４に取り付けることができる。なお、必要に応じて、２つの部品７０ａおよび７０ｂをねじや釘（図示せず）で互いに固着れば、このリング７０の網袋６２からの脱落が有効に防止できる。
【００５１】
そして、図１４に示すように、点検口１８に流入管２０を取り付け、その流入管２０の出口２０ａの周りに、この流入管２０を囲繞するような取付リング７２を設ける。そして、取付リング７２の適宜の箇所に、ねじ穴７４を形成しておく。他方、網袋リング７０に、そのねじ穴７４に相当する箇所に、貫通孔を形成する。網袋リング７０の貫通孔を取付けリング７２のねじ穴７４に合わせ、網袋リング７０側からねじ７６を貫通孔を通ってねじ穴７４に螺入することによって、網袋リング７０を取付リング７２に固着する。それによって、網袋６２が流入管２０の出口２０ａに装着できる。
【００５２】
さらに、図１４の実施例では、網袋リング７０を変形し、特に図１５（Ｂ）からよく分かるように、リング７０の下半分を上半分に比べて肉厚の挿入部７０ａとし、リング７０の上側に取っ手８０を取り付ける。一方、点検口１８の流入管２０の周囲に取付リング７２Ａを設置する。取付リング７２Ａは、図１５（Ａ）に示すように、流入管２０の出口２０ａの前方（点検口１８の内部側）に位置する凹部７４Ａａを有する。この凹部７４Ａａは、網袋リング７０の挿入部７０ａと同様にほぼ同じ大きさの半円形に形成され、その凹部７４Ａａの幅および深さは、この挿入部７０ａを受容できるだけの幅および深さに設定される。
【００５３】
この実施例においては、網袋リング７０の取っ手８０を持って、それの挿入部７０ａを取付リング７２Ａの凹部７４Ａａに上から挿入する（落とし込む）だけて、網袋リング７０を取付リング７２Ａに取り付けられる。網袋６２を回収するときには、逆の工程で簡単に行なえる。つまり、取っ手８０を持って網袋リング７０を上に引き、挿入部７０ａを凹部７４Ａａから抜くだけで、リング７０をリング７２Ａから外し、したがって、網袋６２を流入管２０から取り外せる。したがって、網袋６２の流入管２０の出口２０ａへの装着／離脱が簡単に行なえる。図１１の実施例のように網袋６２を番線６６で流入管２０に取り付けるための作業は、点検口１８が深い場合、点検口１８内のステップ１９に乗ったまま行なう必要があり、装着や回収の作業性がよくない。これに対して、図１５の実施例では上述のように「ワンタッチ」で網袋６２を流入管２０に装脱できるので、点検口１８が深くても、難なく網袋６２の装着や交換を行なえる。
【００５４】
図１６は、上述の実施例に用いられる網袋の変形例６２Ａを示す。この変形例のごみ回収フィルタすなわち網袋６２Ａでは、たとえば魚釣に使う「びく」のように、補強のために、高さ方向に互いに間隔を隔てて、たとえばプラスチック製もしくは金属製の補強リング７８が設けられているとともに、周方向にも互いに間隔を隔てて、同じくプラスチック製または金属製の補強紐８０が編みこまれている。つまり、この実施例の網袋６２Ａは先の実施例の網袋６２に比べて補強されているので、網袋内のごみの嵩や重量が増加しても、それらに容易に耐えられる。
【００５５】
図１６の実施例でも図１２‐図１４実施例と同様に、網袋６２の開口に網袋リング７０を取り付けているが、この網袋リング７０は、図１５に示す実施例のワンタッチ式のものに代えてもよい。
【００５６】
ここまでの実施例では網袋６２の交換や装着を点検口１８内のステップ１９に乗った状態で実行する必要があり、作業性に問題なしとしなかったが、図１７の実施例では、その点を改善した。
【００５７】
図１７を参照して、この実施例の流入施設１４では、点検口１８内において、流入管２０の出口２０ａに、内副管８２を接合する。内副管８２はよく知られているように、点検口内において流入下水が高所から落下することによる点検口底部の損傷および下水の飛散を防止するために用いられるものである。この実施例では、そのような内副管８２を流入管２０の出口２０ａに取り付け、その内副管８２の出口８２ａに番線６６で、ごみ回収フィルタの一例である網袋６２を装着した。ただし、この網袋６２の内副管８２の出口８２ａへの装着方法は、図１２−図１４（図１６）の実施例あるいは図１５の実施例のような方法に換えられてもよい。
【００５８】
図１７実施例によれば、先の実施例が点検口１８内の高所での作業を余儀なくされたのに対し、作業者は点検口１８の底面に降りて、その状態で作業できるので、作業性がよくなるとともに、高所作業の危険性を回避することができる。
【００５９】
図１８に示すこの発明の他の実施例においては、点検口１８内に、網かご８４を設置する。この網かご８４もまたごみ回収フィルタとして機能し、たとえば金属製であり、上端開口の有底中空円筒形状である。しかしながら、有底中空角柱形状であってよい。網かご８４の高さはおよそ１０００‐１５００ｍｍ程度とされる。「網」のメッシュサイズは、前述の網袋６２、６２Ａなどと同様に、ごみの大きさ等を勘案して設定される。実施例では、網かご８４はパンチングメタルで作っているが、金属線を編組した網かごであってよい。
【００６０】
網かご８４の底面には、網かご８４を点検口１８の底面に設置するための設置脚８６が設けられるとともに、その上端開口に開口リング８８が装着される。開口リング８８も金属で形成され得るが、それはプラスチックであってよい。この開口リング８８は網かご８４の変形防止のために設けられるのであるので、それにふさわしい強度を有するように、それ自体の強度および網かごとの取り付け強度が設計される。
【００６１】
開口リング８８の上面には、特に図１９からよく分かるように、各々が鉄輪のような複数（実施例では２個）の係止部９０が周方向に適宜の間隔で、固着される。この係止部９０には、ワイヤロープ９２が係止される。ワイヤロープ９２は、この網かご８４を点検口１８ないに設置する（降ろす）とき、さらには網かご８４を点検口１８内から回収する（引き上げる）ときに利用される。
【００６２】
開口リング８８は、たとえば点検口１８の内壁の適宜の位置に固着しているＬアングルのような支持部材９４上に支持された支持リング９６の上に、載置される。この支持リング９６も、支持部材９４と同様に、たとえば鉄またはステンレスによって形成され得るが、可能なら、プラスチックで形成してもよい。
【００６３】
支持リング９６は、図２０に示すように、その中央に折畳み部９６ａが設定されその折畳み部９６ａで支持リング９６を折畳み可能とするために、その裏面に、図２０で点線で示す蝶番９８が設けられる。したがって、この支持リング９６を点検口１８内の支持部材９４上に設置するときには、支持リング９６を折畳み部９６ａで折り畳んだ状態で点検口１８内に入れ、その後、蝶番９８を開いて支持リング９６を展開すればよい。支持リング９６は、折畳み可能にしたため、点検口１８内に容易に設置できる。
【００６４】
図１８の実施例において、網かご８４を降ろすときには、網かご８４を点検口１８内に入れた後、ワイヤロープ９２をもって徐々に網かご８４を下げ、支持リング９６上に開口リング８８が載るまで下げればよい。なお、網かご８４の支持は、開口リング８８を支持リング９６で支持するほか、設置脚８６と点検口１８の底面とで支持するので、支持リング９６の高さ位置は、設置脚８６が点検口底面にしっかり支えられた状態で、開口リング８８を支持リング９６でもしっかり支持できる高さに設定される。
【００６５】
網かご８４をこのようにして設置した後には、ワイヤロープ９２の端部を点検口１８の外で、もしくは点検口１８内の上端近傍で、点検口１８内に落ちないように引っ掛けておく。
【００６６】
そして、網かご８４の搬出の際には、作業者は、点検口１８の外の地上にいるままで、上述のようにどこかに引っ掛けておいたワイヤロープ９２の一端側を持って、ワイヤロープ９２を徐々に手繰り寄せればよい。そうすると、ワイヤロープ９２で係止した網かご８４が徐々に持ち上げられ、最後には、点検口１８の外へ引き上げることができる。ただし、そのような引き上げをウィンチを使って行なうようにしてもよい。このように、この実施例によれば、作業者が点検口１８の外にいながら、網かご８４の設置や回収の作業をすることができる。
【００６７】
いずれにしも、この実施例においても、網袋の例と同様に、網かご８４にためることのできるごみの量は、交換時の作業の容易性（困難性）とメンテナンス（交換）周期の延長化とを勘案して設計する必要がある。
【００６８】
図１８の実施例では、網かご８４が点検口１８内に設置され、それの上端開口から流入管２０の出口２０ａから落下する雨水を受ける。したがって、流入管２０の出口２０ａからの雨水が網かご８４を通過し、それに混入するごみは網かご８４によって捕捉される。そして、雨水のみが流入接続管２２から雨水貯留・浸透槽１２に流入する。網かご８４にごみをある程度の量溜めておけるので、ごみを取り出す作業を行なう時間的間隔を長くでき、したがって、メンテナンスの作業量を少なくできる。
【００６９】
また、図１８の実施例では、網かご８４の上端が開口したままであるので、点検口１８内の雨水の量によっては、網かご８４内のごみが浮遊して散乱することも考えられるが、網かご８４に或る程度の深さを確保しておけば、ごみの散乱を防ぐことも可能である。
【００７０】
図１８の実施例では、支持リング９６を点検口１８の内壁に固着したＬアングル９４の上に載置するようにした。しかしながら、この支持部材９４は、図２１に示すような、適宜の円弧角を有しかつ点検口内に周方向に適宜の間隔を隔てて設置される支持部材１００に代えられてもよい。
【００７１】
上述の実施例はいずれも、点検口１８内に臨む流入管２０の出口２０ａ（内副管８２の出口８２ａも同様）から流入する雨水をごみ回収フィルタとしての網袋６２，６２Ａや網かご８４で直接受け、それによって網袋６２，６２Ａや網かご８４でその雨水に混入するごみを除去して、雨水貯留・浸透槽１２へのごみの流入を防止するものであった。しかしながら、雨水貯留・浸透槽１２へのごみの流入を防止するためには、流入接続管２２へ雨水が流入するときにごみを除去する方法でもよい。ただし、この方法は従来のごみ除去フィルタ５４と同じ考え方であるが、この従来のごみ除去フィルタ５４より目詰まりしにくいごみ除去フィルタを以下に提案する。
【００７２】
図２２を参照して、この実施例のごみ除去フィルタ１０２は、プラスチック点検口金属からなり、正面部分１０２ａ、側面部分１０２ｂおよび上下面部分１０２ｃを含み、それらは図示しないヒンジで連結されていて、展開した平面状態から図２２の立体状態に組み立てることができる。このごみ除去フィルタ１０２も、図１８の網かご８４と同様に、パンチングメタルのように作成されても、あるいは金属線の編組によって形成されてもよい。
【００７３】
ごみ除去フィルタ１０２の側面部分１０２ｂの端縁には取付片１０４がたとえば上下に間隔を隔てて２個形成されている。この取付片１０４にはたとえば孔が開けられている。この孔に釘やねじを挿通し、その釘やねじを点検口１８の内壁に打ち込みあるいはねじ込むことによって、取付片１０４が点検口１８の内壁に固着され、結果的に、このごみ除去フィルタ１０２が点検口１８の内壁に取り付けられる。ただし、その取付位置は、図２２で点線で示すように、流入接続管２２の入口２２ａをごみ除去フィルタ１０２が覆う位置である。また、ごみ除去フィルタ１０２によって流入接続管２２の入口２２ａを覆うのであるから、ごみ除去フィルタ１０２のサイズは、流入接続管２２の入口２２ａより十分大きくなければならない。
【００７４】
具体的には、側面部分１０２ｂの高さは、正面部分１０２ａが図２３に示すように流入接続管２２の入口２２ａと所定の間隔Ｇ１以上離れる、そのような高さに選ばれる。また、正面部分１０２ａの上下方向高さ、つまり、上下面部分１０２ｃ間の距離は、上下面部分１０２ｃが図２３に示すように流入接続管２２の入口２２ａの外面の天頂および底頂からそれぞれ所定の間隔Ｇ２以上離れる、そのような高さや距離に選ばれる。さらに、正面部分１０２ａの左右方向の幅、つまり、側面部分１０２ｂ間の距離は、側面部分１０２ｂが図２４に示すように流入接続管２２の入口２２ａの外面の左右側面からそれぞれ所定の間隔Ｇ３以上離れる、そのような幅や距離に選ばれる。
【００７５】
このように、この実施例のごみ除去フィルタ１０２では、従来からあるごみ回収フィルタ５４のように流入接続管２２の入口２２ａに密着していないので、ごみ回収フィルタ１０２の各面部分１０２ａ‐１０２ｃの表面にごみが付着しても、フィルタ面積が大きく、ごみの付着を分散させるので、ごみの付着による目詰まりが生じ難い。
【００７６】
なお、図１１および図１７の実施例におけるごみ回収フィルタは、いずれも、上端に開口を有し、全体が閉塞された網目を有する袋状に形成した。しかしながら、必ずしも閉塞されている必要はなく、底部または下端が開口されていてもよい。この場合、雨水は上端開口から流入して下端開口へ向かうが、雨水のそのような流下過程において雨水に混入したごみはごみ回収フィルタの網目によって捕捉されるので、下端開口から流出するごみの量はあまり多くない。したがって、ごみ除去フィルタ５４が目詰まりを起こしにくくなる。
【図面の簡単な説明】
【００７７】
【図１】図１はこの発明の背景となる雨水貯留・浸透システムの一例を示す図解図である。
【図２】図２は図１に示す雨水貯留・浸透槽に用いる要素部材としての本体の一例を示す図解図である。
【図３】図３は図１に示す雨水貯留・浸透槽に用いる要素部材としての上下板の一例を示す図解図である。
【図４】図４は図１に示す雨水貯留・浸透槽に用いる要素部材としての側板の一例を示す図解図である。
【図５】図５は図１に示す雨水貯留・浸透槽に用いる要素部材としての鏡板の一例を示す図解図である。
【図６】図６は図１に示す雨水貯留・浸透槽に用いる要素部材としての中間板の一例を示す図解図である。
【図７】図７は図２‐図６に示す要素部材を使って組み立てた雨水貯留・浸透槽の一例を示す図解図である。
【図８】図８は図７に示す雨水貯留・浸透槽を用いたこの発明の背景となる雨水貯留・浸透システムの縦断面構造を示す図解図である。
【図９】図９は図８に示すこの発明の背景となる雨水貯留・浸透システムの平面構造を示す図解図である。
【図１０】図１０は図７に示す雨水貯留・浸透槽を用いたこの発明の背景となる雨水浸透システムの縦断面構造を示す図解図である。
【図１１】図１１は図７に示す雨水貯留・浸透槽を用いた、この発明に従った雨水貯留・浸透システムの流入施設の一実施例を示す図解図である。
【図１２】図１２はこの発明の他の実施例で利用可能な網袋の一例を示す図解図である。
【図１３】図１３は図１２実施例において網袋に取付リングを装着する方法を示す図解図である。
【図１４】図１４は図１２実施例において網袋を流入管の出口に取り付ける構造の一例を示す図解図である。
【図１５】図１５はこの発明の他の実施例で利用可能な網袋の一例を示す図解図である。
【図１６】図１６は図１２または図１５実施例において網袋を流入管の出口に取り付ける構造の他の例を示す図解図である。
【図１７】図１７は図７に示す雨水貯留・浸透槽を用いた、この発明に従った雨水貯留・浸透システムの流入施設の他の実施例を示す図解図である。
【図１８】図１８は図７に示す雨水貯留・浸透槽を用いた、この発明に従った雨水貯留・浸透システムの流入施設のさらに他の実施例を示す図解図である。
【図１９】図１９は図１８実施例に用いられる網かごの平面を示す図解図である。
【図２０】図２０は図１８実施例に用いられる支持リングの一例を示す図解図である。
【図２１】図２１は図１８実施例に用いられる支持部材の他の例を示す図解図である。
【図２２】図２２は図７に示す雨水貯留・浸透槽を用いた、この発明に従った雨水貯留・浸透システムの流入施設のさらに他の実施例を示す図解図である。
【図２３】図２３は図２２実施例におけるごみ除去フィルタと流入接続管との側面からの位置的な関係を示す図解図である。
【図２４】図２４は図２２実施例におけるごみ除去フィルタと流入接続管との正面からの位置的な関係を示す図解図である。
【符号の説明】
【００７８】
１０  …雨水貯留・浸透システム
１２  …雨水貯留・浸透槽
１４  …流入施設
１８  …点検口
２０  …流入管
２２  …流入接続管
６２  …網袋
８２  …内副管
８４  …網かご
１０２  …ごみ除去フィルタ
【図１】
2008208528.tif 000003
【図２】
2008208528.tif 000004
【図３】
2008208528.tif 000005
【図４】
2008208528.tif 000006
【図５】
2008208528.tif 000007
【図６】
2008208528.tif 000008
【図７】
2008208528.tif 000009
【図８】
2008208528.tif 000010
【図９】
2008208528.tif 000011
【図１０】
2008208528.tif 000012
【図１１】
2008208528.tif 000013
【図１２】
2008208528.tif 000014
【図１３】
2008208528.tif 000015
【図１４】
2008208528.tif 000016
【図１５】
2008208528.tif 000017
【図１６】
2008208528.tif 000018
【図１７】
2008208528.tif 000019
【図１８】
2008208528.tif 000020
【図１９】
2008208528.tif 000021
【図２０】
2008208528.tif 000022
【図２１】
2008208528.tif 000023
【図２２】
2008208528.tif 000024
【図２３】
2008208528.tif 000025
【図２４】
2008208528.tif 000026